(57)【特許請求の範囲】
【請求項１】
浅皿状の目地プレート本体と、該目地プレート本体の内部に固定された補強部材と、前記目地プレート本体の内部に充填されたコンクリートとで構成され、前記補強部材は、上下方向に屈曲する少なくとも１つの屈曲部を有するとともに、砂利が通過可能な砂利通過孔を有する補強プレートと、該補強プレートの両側部に固定された補強バーとからなることを特徴とする目地プレート。
【請求項２】
前記目地プレートにはヒンジを介してカバープレートが取り付けられていることを特徴とする請求項１に記載の目地プレート。
【請求項３】
目地部を介して設けられた左右の躯体の一方の躯体に形成された目地プレート支持凹部と、他方の躯体に形成された目地プレートスライド支持凹部と、一端部が前記目地プレート支持凹部に支持され、他端部が前記目地プレートスライド支持凹部にスライド移動可能に支持され、前記目地部を覆う目地プレートとで構成される床用目地装置であって、前記目地プレートは、浅皿状の目地プレート本体と、該目地プレート本体の内部に固定された補強部材と、前記目地プレート本体の内部に充填されたコンクリートとより構成され、前記補強部材は、上下方向に屈曲する少なくとも１つの屈曲部を有するとともに、砂利が通過可能な砂利通過孔を有する補強プレートと、該補強プレートの両側部に固定された補強バーとからなることを特徴とする床用目地装置。
【発明の詳細な説明】
【技術分野】
【０００１】
本発明は目地部を介して設けられた左右の躯体の間の目地部を、車両等の重量物が通行可能な状態で塞ぐ目地プレートおよび床用目地装置に関する。
【背景技術】
【０００２】
従来、この種の床用目地プレートは金属材製の四角浅皿形状の目地プレート本体と、この目地プレート本体内に平鋼あるいはＩ型バーを２８．３ｍｍ間隔で並列し、上辺を複数個のバー部材で固定された格子状の補強体を挿入あるいは格子状の補強体の所々を前記目地プレート本体の底面とを溶接固定し、該格子状の補強体が埋まるように目地プレート本体内にモルタルを充填して構成されていた。  
【０００３】
しかしながら、平鋼あるいはＩ型バーを２８．３ｍｍ間隔で並列させた格子状の補強体を用いているため、コンクリートの骨材が格子状の補強体内へ入らないため、砂とセメントからなるモルタルしか目地プレート本体内へ充填することができず、消防車のような非常に重量の大きい車両が通過するための十分な強度が得られないという欠点があった。
【先行技術文献】
【特許文献】
【０００４】
【特許文献１】特開２０１１−１５７７２２号公報
【発明の概要】
【発明が解決しようとする課題】
【０００５】
本発明は以上のような従来の欠点に鑑み、車両等の重量物が通過可能な強度を十分確保でできる目地プレートおよび床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は浅皿状の目地プレート本体と、該目地プレート本体の内部に固定された補強部材と、前記目地プレート本体の内部に充填されたコンクリートとで構成され、前記補強部材は、少なくとも１つの屈曲部を有するとともに、砂利が通過可能な砂利通過孔を有する補強プレートと、該補強プレートの両側部に固定された補強バーとからなることを特徴とする。
【０００８】
また、本発明は、浅皿状の目地プレート本体と、該目地プレート本体の内部に固定された補強部材と、前記目地プレート本体の内部に充填されたコンクリートとで構成され、前記補強部材は、上下方向に屈曲する少なくとも１つの屈曲部を有するとともに、砂利が通過可能な砂利通過孔を有する補強プレートと、該補強プレートの両側部に固定された補強バーとからなることを特徴とする。
【発明の効果】
【０００９】
以上の説明から明らかなように、本発明にあっては次に列挙する効果が得られる。
（１）請求項１の発明においては、屈曲部を有する補強プレートおよび補強バーからなる補強部材を目地プレート内部に固定しているので、目地プレートの強度を向上させることができる。
（２）また、補強プレートには砂利が通過できる砂利通過孔が形成されているので、コンクリート骨材が補強プレートを通過でき、目地プレート本体の内部全体にコンクリートを充填することができる。
【００１０】
したがって、目地プレートの強度を更に向上させることができ、消防車のような重量の大きい車両であっても、目地プレートがたわむことなく通過することができる。
（３）請求項２の発明においても、前記（１）、（２）と同様な効果が得られる。
（４）請求項３の発明においても、前記（１）、（２）と同様な効果が得られるとともに、補強部材を螺合により固定することができるので、現場でも容易に補強部材を固定することができる。
（５）請求項４の発明においても前記（１）〜（４）と同様な効果が得られるとともに、地震によって目地部が狭くなる等の場合であっても、段差を小さくし車両を通過させることができる。
（６）請求項５の発明においても、前記（１）、（２）と同様な効果が得られる。
【図面の簡単な説明】
【００１１】
【図１】本発明を実施するための第１の形態の目地プレートの平面図。
【図２】図１の２−２線に沿う断面図。
【図３】本発明を実施するための第１の形態の目地プレート本体の説明図。
【図４】本発明を実施するための第１の形態の補強部材の説明図。
【図５】発明を実施するための第１の形態の目地プレート本体に補強部材を取り付けた状態の説明図。
【図６】発明を実施するための第１の形態の目地プレート本体にコンクリートを充填している状態の説明図。
【図７】本発明を実施するための第１の形態の床用目地装置の平面図。
【図８】図７の８−８線に沿う断面図。
【図９】本発明を実施するための第１の形態の地震で目地部が狭くなった動作説明図。
【図１０】本発明を実施するための第１の形態の地震で目地部が広くなった動作説明図。
【図１１】本発明を実施するための第２の形態の床用目地装置の平面図。
【図１２】図１１の１２−１２線に沿う断面図。
【図１３】本発明を実施するための第２の形態の補強プレートの説明図。
【図１４】本発明を実施するための第３の形態の床用目地装置の平面図。
【図１５】図１４の１５−１５線に沿う断面図。
【図１６】本発明を実施するための第３の形態の目地プレート本体の説明図。
【図１７】発明を実施するための第３の形態の目地プレート本体に補強部材を取り付ける状態の説明図。
【図１８】本発明を実施するための第４の形態の床用目地装置の平面図。
【図１９】図１８の１９−１９線に沿う断面図。
【図２０】発明を実施するための第４の形態の補強部材の説明図。
【図２１】本発明を実施するための第５の形態の床用目地装置の平面図。
【図２２】図２１の２２−２２線に沿う断面図。
【図２３】発明を実施するための第５の形態の目地プレートの説明図。
【発明を実施するための形態】
【００１２】
以下、図面に示す本発明を実施するための形態により、本発明を詳細に説明する。
図１ないし図１０に示す本発明を実施するための第１の形態において、１は目地部２を介して設けられた一方の躯体３と他方の躯体４間の目地部２を塞ぐ床用目地装置５に用いられる目地プレートで、この目地プレート１は、浅皿状の目地プレート本体６と、該目地プレート本体６の内部に固定された補強部材７と、前記目地プレート本体６の内部に充填されたコンクリート８と、該コンクリート８の上面に貼り付けられた大理石等のタイルやレンガ等の床化粧板９と、一端部の上部にヒンジ１０を介して取付けられたカバープレート１１と、前記目地プレート本体６の他端部の両側部に取付けられかつ、下端部が開口したピンボックス１２とで構成されている。
【００１３】
そして、前記補強部材７は、複数の屈曲部１３を有するとともに、砂利が通過可能な砂利通過孔１４を有する補強プレート１５と、該補強プレート１５の両側部１５ａ、１５ａに当接し、かつ、目地プレート本体６の内部底面に固定された補強バー１６とで構成されている。
【００１４】
また、本発明の床用目地装置５は、一方の躯体３に形成された目地プレート支持凹部１７と、他方の躯体４に反目地部側が傾斜面１８に形成された目地プレートスライド支持凹部１９と、一端部が前記目地プレート支持凹部１７に設けられた支持ピン２０に枢支状態で支持され、他端部が前記目地プレートスライド支持凹部１９にスライド移動可能に支持され、前記目地部を覆う前記目地プレート１とで構成されている。
なお、本発明において躯体とは、建物、道路、スラブ、橋梁等の目地プレートが設置可能で、車両等の重量物が通行する建造物をいう。
【００１５】
前記目地プレート本体６は、金属製で、平面視四角形の浅皿状に形成されており、他端部の両側部には下端部が開口したピンボックス１２が取付けられている。
【００１６】
前記補強部材７は、前記補強プレート１５と、該補強プレート１５の両側部にスポット溶接により複数箇所固定された補強バー１６から構成されている。本実施の形態においては、目地プレート本体６内に、前記補強部材７を３つ設けている。このように１つの補強プレート１５の両側部に補強バー１６を固定した補強部材７を複数設けることにより、補強部材１７の可搬性がよくなり、固定作業を容易に行うことができる。なお、本実施の形態のように、目地プレート本体６に複数の補強部材７を固定する場合には、補強部材７同士を当接するように固定することが望ましい。
【００１７】
補強部材７は、スポット溶接により目地プレート本体６の内部底面に固定されている。なお、スポット溶接される箇所は、補強バー１６の底面付近の複数箇所および補強プレート１５の目地プレート本体６内部底面側の屈曲部１３である。
【００１８】
前記補強プレート１５は、薄板状の金属部材を折り曲げた屈曲部１３を複数有するもので、長さ（目地プレート本体の長さ方向の寸法）および高さ（目地プレート本体の深さ方向の寸法）は補強バー１６と略同一である。なお、ここでいう高さとは、底面側の屈曲部１３と上面側の屈曲部１４の間の垂直方向の高さである。
【００１９】
また、補強プレート１５には、砂利が通過可能な多角形状の砂利通過孔１４が屈曲部１３の部位に形成されている。なお、本実施の形態においては、平坦部２１にも砂利通過孔１４ａが形成されており、該砂利通過孔１４ａは、屈曲部１３に形成された砂利通過孔１４よりも小さく、円形状に形成されている。このような砂利通過孔１４、１４ａを形成することにより、コンクリート骨材２２が補強プレートを通過でき、目地プレート本体の内部全体にコンクリートを充填することができる。
【００２０】
前記補強バー１６は、方形状の金属板であり、長さは目地プレート本体の内部の長さよりも短く、また、高さも目地プレート本体の深さよりも短く形成されている。なお、補強バー１６の強度に影響を及ぼさない位置に、クレーンのフックやボルト等を取付けることができる透孔２３を形成してもよい。
【００２１】
地震で目地部２が狭くなるように左右の躯体３、４が揺れ動くと、図９に示すように目地プレート１の先端部が目地プレートスライド支持凹部１９の傾斜面１８に沿って押し上げられるが、カバープレート１１の先端部が他方の躯体４と当接した状態を保つため、傾斜の突出面にはなるが、車両等の走行を安全に行なうことができる。
【００２２】
地震で目地部２が広くなるように左右の躯体３、４が揺れ動くと、図１０に示すように目地プレート１の先端部が目地プレートスライド支持凹部１９上をスライド移動して、その揺れ動きを吸収する。
【００２３】
この時、カバープレート１１の先端部が目地プレートスライド支持凹部５内へ侵入すると凹部が生じるが、比較的に小さな凹部であるため、車両等の走行が可能である。
【００２４】
なお、前記本発明の実施の形態では目地プレートスライド支持凹部１９および目地プレート支持凹部１７に目地プレート１を設置したものについて説明したが、本発明はこれに限らず、目地プレートスライド支持凹部１９を金属材製の目地プレートスライド支持凹部下地材で覆ったり、目地プレート支持凹部１７を金属材製の目地プレート支持凹部下地材で覆ってもよい。
【００２５】
[発明を実施するための異なる形態]
次に、図１１ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１１ないし図１３に示す本発明を実施するための第２の形態において、前記本発明を実施するための第１の形態と主に異なる点は、楕円形状の砂利通過孔１４Ａを形成した補強プレート１５Ａを用いた補強部材７Ａにした点で、このような補強部材７Ａを用いた目地プレート１Ａおよび床用目地装置５Ａにしても前記本発明を実施するための第１の形態と同様な作用効果が得られる。
【００２６】
図１４ないし図１７に示す本発明を実施するための第３の形態において、前記本発明を実施するための第１の形態と主に異なる点は、補強プレート１５の底部側の砂利通過孔１４と対応する位置にボルト２４を固定した目地プレート本体６Ａを用い、補強プレート１５の底部側の砂利通過孔１４から前記ボルト２４を通過させ、補強プレート１５の底部側の屈曲部１３に取付板２５を介してナット２６を螺合することにより補強部材７を目地プレート６Ａに固定した点で、このような目地プレート１Ｂおよび床用目地装置５Ｂにしても前記本発明を実施するための第１の形態と同様な作用効果が得られるとともに、目地プレート本体６Ａに補強部材７を現場にて固定する場合に、溶接作業を行わなくても目地プレート本体６Ａに補強部材７を固定することができる。なお、前記取付板２５は、屈曲部１３の角度に対応する傾斜面が形成されていることが望ましいが、この場合には取付板２５の寸法を砂利通過孔１４を塞がないようにすることが望ましい。
【００２７】
また、本実施の形態においては砂利通過孔１４からボルトを通過させ、取付板を介してナットを螺合し、補強部材を固定する形態について説明したが、補強バーの底部側側面にＬ字状の金具を固定し、このＬ字状の金具をと目地プレート底面に設けたボルトを螺合して固定する等の方法でもよい。
【００２８】
図１８ないし図２０に示す本発明を実施するための第４の形態において、前記本発明を実施するための第１の形態と主に異なる点は、複数のプレート１５と複数の補強バー１６を溶接により固定した補強部材７Ｂにした点で、このような補強部材７Ｂを用いた目地プレート１Ｃおよび床用目地装置５Ｃにしても補強部材７Ｂの１つあたりの重量は増加するが、前記本発明を実施するための第１の形態と同様な作用効果が得られる。
【００２９】
図２１ないし図２３に示す本発明を実施するための第２の形態において、前記本発明を実施するための第１の形態と主に異なる点は、一端部および他端部にヒンジ１０を介してカバープレートを設け、ピンボックス１２を備えない目地プレート本体６Ｂを用いた目地プレート１Ｄにするとともに、一方の躯体３にも反目地部側が傾斜面１８に形成された目地プレートスライド支持凹部１９を形成し、前記目地プレート６Ｄの一端部および他端部を目地プレートスライド支持凹部１９で支持し、両端部が目地部側の左右の躯体３、４に枢支され、中央部が該目地プレート１０Ａの中央部に枢支された中央維持リンク機構２７を用いた点で、このように構成された床用目地装置５Ｄにしても、前記本発明を実施するための第１の形態と同様な作用効果が得られる。
【００３０】
なお、本発明の実施の形態においては、２つの補強バーの間に複数の屈曲を有する１枚の補強プレートを固定する補強部材について説明したが、２つの補強バーの間に１つの屈曲を有する形状（山型形状、谷型形状）の補強プレートを複数固定したものであってもよい。
【００３１】
また、本発明の実施の形態においては、補強バーの両側部が補強プレートに溶接されている形態について説明したが、補強バーの両側部と補強プレートとをビス止め、リベット止め等により固定してもよい。
【００３２】
さらに、本発明の実施の形態においては、屈曲部および平坦部に砂利通過孔を備えているが、コンクリート骨材を目地プレート本体の全体に充填できるものであれば、どちらか一方に砂利通過孔を備えたものでも良い。
【産業上の利用可能性】
【００３３】
本発明は目地プレートおよび床用目地装置を製造する産業で利用される。
【符号の説明】
【００３４】
１、１Ａ、１Ｂ、１Ｃ、１Ｄ：目地プレート、
２：目地部、                      ３：一方の躯体、
４：他方の躯体、
５、５Ａ、５Ｂ、５Ｃ、５Ｄ：床用目地装置、
６、６Ａ、６Ｂ：目地プレート本体、７、７Ａ、７Ｂ：補強部材、
８：コンクリート、                ９：床化粧板、
１０：ヒンジ、                    １１：カバープレート、
１２：ピンボックス、              １３：屈曲部、
１４：砂利通過孔、                １５、１５Ａ：補強プレート、
１６：補強バー、                  １７：目地プレート支持凹部、
１８：傾斜面、                    １９：目地プレートスライド支持凹部、
２０：支持ピン、                  ２１：平坦部、
２２：コンクリート骨材、          ２３：透孔、
２４：ボルト、                    ２５：取付板、
２６：ナット。
【要約】
【課題】  車両等の重量物が通過可能で、かつ、目地プレート本体内部に充填されるコンクリートの強度も十分確保でできる目地プレートおよび床用目地装置を提供すること。
【解決手段】  浅皿状の目地プレート本体と、該目地プレート本体の内部に固定された補強部材と、前記目地プレート本体の内部に充填されたコンクリートとで構成され、前記補強部材は、少なくとも１つの屈曲部を有するとともに、砂利が通過可能な砂利通過孔を有する補強プレートと、該補強プレートの両側部に固定された補強バーとからなることを特徴とする。
【選択図】  図１【図１】
0006051268.tif 000002
【図２】
0006051268.tif 000003
【図３】
0006051268.tif 000004
【図４】
0006051268.tif 000005
【図５】
0006051268.tif 000006
【図６】
0006051268.tif 000007
【図７】
0006051268.tif 000008
【図８】
0006051268.tif 000009
【図９】
0006051268.tif 000010
【図１０】
0006051268.tif 000011
【図１１】
0006051268.tif 000012
【図１２】
0006051268.tif 000013
【図１３】
0006051268.tif 000014
【図１４】
0006051268.tif 000015
【図１５】
0006051268.tif 000016
【図１６】
0006051268.tif 000017
【図１７】
0006051268.tif 000018
【図１８】
0006051268.tif 000019
【図１９】
0006051268.tif 000020
【図２０】
0006051268.tif 000021
【図２１】
0006051268.tif 000022
【図２２】
0006051268.tif 000023
【図２３】
0006051268.tif 000024